(57)【要約】［目的］医薬品錠剤の瓶の蓋に小分け携帯容器をはめておくことにより、確実に小分け携帯容器を利用することができ、旅行、外出等に際しては携帯容器に錠剤を小分けして充填することにより嵩ばらずに、医薬品錠剤を携帯することのできる小分け携帯容器を提供することを目的とする。［解決手段］医薬品錠剤の瓶の蓋に小分け容器を重ねてはめておくことにより、確実に手軽に小分け携帯容器を利用することができる。又、旅行、外出等に際して、携帯容器に錠剤を小分けして充填することによって、嵩ばらずに医薬品錠剤を携行することができる。「選択図」図５【特許請求の範囲】
１、市販の医薬品の錠剤瓶の蓋２に本発明の医薬品の小分け携帯容器の身４と蓋３を重ねて医薬品の錠剤瓶の蓋２にはめてあった本発明の携帯容器の身３と蓋４を取り外し、携帯容器の身４に医薬品に医薬品の錠剤５を取り出し、携帯容器の蓋３をかぶせて、ハンドバック、鞄、服のポケット等に入れて携帯する。
２、医薬品の錠剤を服用摩る時には、蓋３の取り出し穴６と身４の取り出し穴７をぴったりあわせることによりこぼさずに、容易に錠剤を取り出すことができる小分け携帯容器。
【発明の詳細な説明】
【発明の詳細な説明】
［発明の属する技術分野］
【０００１】  本発明は市販の医薬品の錠剤の入った瓶に身と蓋を重ね合わせた状態で、錠剤瓶の蓋にはめこんであった医薬品錠剤の携帯容器を取り外し、携帯容器の身と蓋を分離し、当面使用する錠剤を携帯容器の身に取り出し、携帯容器の蓋をかぶせてハンドバック、鞄、ポケット等にいれて携帯し、錠剤を服用しようとする際には携帯容器の身と蓋を回して、両者の取り出し穴を一致させ、錠剤を取り出して服用することを可能にする医薬品錠剤の携帯容器に関するものである。
［従来の技術］
【０００２】  従来、市販されている医薬品の瓶の錠剤を服用する場合、身近の所定の場所に収納しておき、必要時に服用するものである。
しかし、旅行、外出等に当たって医薬品の錠剤瓶を携行しようとすると、旅行鞄、リュックサック、ポケットなどに医薬品の錠剤瓶を数個入れると嵩ばって携行には極めて不便であった。
別の小型収納容器に使用分だけ移しかえるにしても、身近に適当な容器がなかったりして、大変不便であった。
［本発明が解決しようとする課題］
【０００３】  本発明は旅行、外出等に際して医薬品の錠剤瓶を携行使用する時、旅行鞄、リュックサック、ポケットなどに錠剤瓶を数個入れることになり、嵩ばって携行に極めて不便であり、別の小型収納容器に移しかえるにしても、身近に適当な容器がなかったりして、不自由であったが、本発明の小分け錠剤携帯容器の身と蓋を重ね合わせ、市販の医薬品錠剤瓶の蓋にはめておき、旅行、外出等に当たって錠剤を携行する前に小分け携帯容器の身と蓋を医薬品錠剤瓶から取り外し、携帯容器の身に必要量の錠剤を入れ、蓋をかぶせて、ハンドバック、旅行鞄、服のポケットに入れ携帯することによって上記の不便、不自由を解消する。
［実施例］
【０００４】（図１図７参照）
１、本発明の医薬品の小分け携帯容器の身４と蓋３を重ね合わせて、市販の医薬品の錠剤瓶１の蓋２にはめておき、旅行、外出等に先立って、医薬品の錠剤瓶１の蓋２から、本発明の医薬品の小分け携帯容器の身４と蓋３を取り外し、携帯容器の身４に必要量の錠剤を入れ、蓋３をかぶせて錠剤を携行する。服用に当たっては、蓋３の取り出し穴６と身４の取り出し穴７をぴったり合わせることによって、こぼさずに、容易に錠剤を取り出すことができる。
【０００５】［要約］
［目的］医薬品錠剤の瓶の蓋に小分け携帯容器をはめておくことにより、確実に小分け携帯容器を利用することができ、旅行、外出等に際しては携帯容器に錠剤を小分けして充填することにより嵩ばらずに、医薬品錠剤を携帯することのできる小分け携帯容器を提供することを目的とする。
［解決手段］医薬品錠剤の瓶の蓋に小分け容器を重ねてはめておくことにより、確実に手軽に小分け携帯容器を利用することができる。又、旅行、外出等に際して、携帯容器に錠剤を小分けして充填することによって、嵩ばらずに医薬品錠剤を携行することができる。
【図１】
2005118523.tif 000002
【図２】
2005118523.tif 000003
【図３】
2005118523.tif 000004
【図４】
2005118523.tif 000005
【図５】
2005118523.tif 000006
【図６】
2005118523.tif 000007
【図７】
2005118523.tif 000008
【手続補正書】
【提出日】平成16年3月30日(2004.3.30)
【手続補正２】
【補正対象書類名】明細書
【補正対象項目名】全文
【補正方法】変更
【補正の内容】
【発明の詳細な説明】
【技術分野】
【０００１】  本発明は市販の医薬品の入った瓶に身と蓋を重ね合わせた状態で、錠剤瓶の蓋と身を
・
・
・
「従来の技術」【０００２】  従来、市販されている医薬品の瓶の錠剤を服用する場合、身近の場所に収納して
・
・
「本発明が解決しようとする課題」【０００３】  本発明は旅行、外出等に際して医薬品の錠剤瓶を携行する時、旅行鞄、リュック
・
・
９「実施例」（図１、図７参照）【０００４】  本発明の医薬品の小分け携帯容器の身４と蓋３を重ね合わせて、市販の医薬品の錠剤
・
・
【図面の簡単な説明】
【０００５】「図１」蓋をした市販の医薬品の錠剤瓶
「図２」本発明の小分け携帯容器の身と蓋を重ね合わせて市販の医薬品の蓋にかぶぶせた状態
「図３」本発明の小分け携帯容器の身と蓋を重ね合わせた状態
「図４」市販の医薬品の錠剤を入れた本発明の小分け携帯容器の身と小分け携帯容器の蓋
「図５」本発明の小分け携帯容器に医薬品の錠剤を入れ、身と蓋の錠剤取り出し穴をずらして錠剤がこぼれないようにした状態
「図６」本発明の小分け携帯容器の錠剤取り出し穴をずらして一致させ、錠剤を取出そうとする状態
「図７」本発明の小分け携帯容器から医薬品の錠剤を掌に取り出している状態
【符号の説明】
【０００６】  １、医薬品の錠剤瓶
２、錠剤瓶の蓋
３、小分け携帯容器の蓋
４、小分け携帯容器の身
５、医薬品の錠剤
６、小分け携帯容器の蓋の取り出し穴
７、小分け携帯容器の身の取り出し穴
【手続補正３】
【補正対象書類名】特許請求の範囲
【補正対象項目名】全文
【補正方法】変更
【補正の内容】
【特許請求の範囲】
【請求項１】
１、市販の医薬品の錠剤瓶の蓋２に本発明の医薬品の小分け携帯容器の身４と蓋３を重ねて医薬品の錠剤瓶の蓋２にはめてあった本発明の携帯容器の身４と蓋３をとり外し、携帯容器の身４から医薬品の錠剤５を取り出し、小分け携帯容器の蓋３をかぶせて、ハンドバック、鞄、服のポケット等に入れて携帯する。
２、医薬品の錠剤を服用する時には、蓋３の取り出し穴６と身４の取り出し穴７をぴっったり合わせることにより、こぼさずに、容易に錠剤を取り出すことができる小分け携帯容器。
【手続補正４】
【補正対象書類名】図面
【補正対象項目名】全図
【補正方法】変更
【補正の内容】
【図１】
2005118523.tif 000009
【図２】
2005118523.tif 000010
【図３】
2005118523.tif 000011
【図４】
2005118523.tif 000012
【図５】
2005118523.tif 000013
【図６】
2005118523.tif 000014
【図７】
2005118523.tif 000015